(57)【要約】  給電ピン（２）と、上記給電ピン（２）に取り付けられる非導電性の基体（１０）を有する始動モジュールとを外部で支持するシェル（１）を備えるタイプのコンプレッサの始動システムのための装着装置であって、シェル（１）および基体（１０）の部品の一方によって支持され且つロック位置と解放位置との間で弾性的に変形可能なロック手段（２０）と、上記部品の他方によって支持されるロック受け手段（３０）とを備え、上記ロック手段（２０）は、基体（１０）を上記給電ピン（２）に対して装着するときにロック受け手段（３０）と係脱可能に係合し、それにより、給電ピン（２）に対する基体（１０）の外れを引き起こし得る変位に対して上記部品をロックする装着装置。
2008522573.tif 000002
【特許請求の範囲】
【請求項１】
給電ピン（２）と、前記給電ピン（２）に取り付けられる非導電性の基体（１０）を有する始動モジュールとを外部で支持するシェル（１）を備えるタイプのコンプレッサの始動システムのための装着装置であって、シェル（１）および基体（１０）の部品の一方によって支持され且つロック位置と解放位置との間で弾性的に変形可能なロック手段（２０）と、前記部品の他方によって支持されるロック受け手段（３０）とを備え、前記ロック手段（２０）は、基体（１０）を前記給電ピン（２）に対して装着するときにロック受け手段（３０）と係脱可能に係合し、それにより、給電ピン（２）に対する基体（１０）の外れを引き起こし得る変位に対して前記部品をロックすることを特徴とする、装着装置。
【請求項２】
ロック手段がタブ（２１）を備え、タブは、それを支持する部品から給電ピン（２）と平行な方向に突出するとともに歯（２２）を包含し、ロック受け手段（３０）には他方の部品によって支持されるストッパ（３１）が設けられ、このストッパ（３１）にはロック位置で前記歯（２２）が当接されることを特徴とする、請求項１に記載の装着装置。
【請求項３】
歯（２２）が斜面の形態を包含することを特徴とする、請求項２に記載の装着装置。
【請求項４】
ストッパ（３１）が、ロック受け手段（３０）を支持する部品に形成された凹部の縁のうちの１つによって形成されていることを特徴とする、請求項３に記載の装着装置。
【請求項５】
ロック受け手段（３０）が、対応する部品から突出する支持手段（４０）に設けられていることを特徴とする、請求項４に記載の装着装置。
【請求項６】
支持手段（４０）が支持プレート（４１）によって画定され、ロック受け手段（３０）のストッパ（３１）は、支持プレート（４１）に設けられた窓（４２）の前縁によって画定されていることを特徴とする、請求項５に記載の装着装置。
【請求項７】
支持プレート（４１）が、ロック手段（２０）のタブ（２１）と前記タブ（２１）を支持する部品の面との間の小さな隙間を用いて取り付けられることを特徴とする、請求項６に記載の装着装置。
【請求項８】
支持プレート（４１）が平坦であり、タブ（２１）は、それを支持する部品の面に対して平行に配置されていることを特徴とする、請求項７に記載の装着装置。
【請求項９】
支持手段（４０）が給電ピン（２）よりも上側に設けられていることを特徴とする、請求項６に記載の装着装置。
【請求項１０】
支持プレート（４１）がシェル（１）に対して水平に固着されていることを特徴とする、請求項７に記載の装着装置。
【請求項１１】
ロック手段（２０）のタブ（２１）が、始動モジュールの基体（１０）によって支持され、前記基体（１０）の上面（１０ａ）と平行に配置されていることを特徴とする、請求項１０に記載の装着装置。
【請求項１２】
始動モジュールに対して動作可能に結合されるコンデンサ（３）を支持するためにシェル（１）および基体（１０）の部品のうちの一方に対して装着される更なる支持体（５０）を備え、支持プレート（４１）によって画定される部品および支持プレートを支持する部品のうちの一方には保持手段（５５、５７）が設けられ、他方の部品が保持手段（５５、５７）を受けるストッパ手段（４３、４４）を支持しており、これにより、基体（１０）が給電ピン（２）に対して装着状態時に誤って相対的に変位しないように更なる支持体（５０）が対応する部品に対してロックされることを特徴とする、請求項１に記載の装着装置。
【請求項１３】
更なる支持体（５０）は、前記更なる支持体（５０）を支持する部品に対して当接され且つ保持手段（５５、５７）が設けられた基部（５１）と、シェル（１）に隣接して基部（５１）から突出するとともにコンデンサ（３）を支持する支柱部（５２）とを備えることを特徴とする、請求項１２に記載の装着装置。
【請求項１４】
更なる支持体（５０）の支柱部（５２）には、コンデンサ（３）を更なる支持体（５０）に対して固定する少なくとも１つの装着爪（５３）が設けられ、それにより、前記部品が誤って変位することが回避されることを特徴とする、請求項１３に記載の装着装置。
【請求項１５】
支柱部（５２）が、コンデンサ（３）のフレーム（４）の隣接する部分を取り囲む２つの装着ストラップ（５３）を支持することを特徴とする、請求項１４に記載の装着装置。
【請求項１６】
各装着爪（５３）が、更なる支持体（５０）の支柱部（５２）に対して装着されるように弾性的に変形可能な対応するロックピン（５３ｂ）を支持しており、それにより、コンデンサ（３）のフレーム（４）を支柱部（５２）の隣接する面に対して当接させた状態に保持することを特徴とする、請求項１５に記載の装着装置。
【請求項１７】
ロックピン（５３ｂ）が、装着ストラップ（５３）によって支持される補助プレート（５４）から突出することを特徴とする、請求項１６に記載の装着装置。
【請求項１８】
補助プレート（５４）が支柱部（５２）に対して当接されることを特徴とする、請求項１７に記載の装着装置。
【請求項１９】
装着ストラップ（５３）、ロックピン（５３ｂ）、および補助プレート（５４）が更なる支持体（５０）に対して一体形成されていることを特徴とする、請求項１８に記載の装着装置。
【請求項２０】
保持手段（５５）が少なくとも２つの保持爪（５５ａ）を備え、各保持爪は、更なる支持体（５０）の基部（５１）の側縁部（５１ａ）から設けられ、支持手段（４０）の隣接する側部に対して作用することを特徴とする、請求項１５に記載の装着装置。
【請求項２１】
保持手段（５７）は、更なる支持体（５０）の基部（５１）の前縁部（５６）から設けられ且つ支持手段（４０）の隣接する前部に対して作用する保持タブ（５７ａ）を備え、前記保持タブ（５７ａ）は、更なる支持体（５０）の基部（５１）の側縁（５１ａ）に設けられた保持爪（５５ａ）とともに三角形構造を画定するように設けられていることを特徴とする、請求項２０に記載の装着装置。
【請求項２２】
支持プレート（４１）の前部が、更なる支持体（５０）がシェル（１）の方向へ変位しないようにするストッパを画定していることを特徴とする、請求項２１に記載の装着装置。
【請求項２３】
更なる支持体（５０）を前記支持手段（４０）に対してロックするために、保持爪（５５ａ、５７ａ）の少なくとも一部には支持手段（４０）に設けられた対応する突出部（５５ｂ、５７ｂ）が設けられていることを特徴とする、請求項２１に記載の装着装置。
【請求項２４】
突出部（５５ｂ）が設けられた保持爪（５５ａ）は、柔軟性を有し、支持手段（４０）に対して装着位置と取り外し位置との間で弾性的に変形できることを特徴とする、請求項２３に記載の装着装置。
【請求項２５】
支持手段（４０）が支持プレート（４１）を備え、支持プレートには各々の対応する側部（４６）に係合切り欠き（４６ａ）が設けられ、これらの係合切り欠きのうちの１つが保持爪（５７）の対応する突出部（５７ｂ）を受けることを特徴とする、請求項２４に記載の装着装置。
【請求項２６】
他方の保持爪（５５ａ）が、支持プレート（４１）の隣接する側部（４６）の周囲に嵌合することを特徴とする、請求項２５に記載の装着装置。
【請求項２７】
ロック手段（２０）のタブ（２１）が、歯（２２）を支持する面と反対側のタブ（２１）の面（２５）から離間して当該面と平行に隣接する突出部（２４）を支持することを特徴とする、請求項１に記載の装着装置。
【請求項２８】
更なる支持体（５０）が弾性材料からなることを特徴とする、請求項１に記載の装着装置。
【発明の詳細な説明】
【技術分野】
【０００１】
本発明は、電動機、特に冷却コンプレッサにおける単相誘導電動機で使用されるタイプの始動システムのための装着装置に関する。
【背景技術】
【０００２】
単相誘導電動機は、それらの簡易性、強度、高性能に起因して、幅広く使用されている。これらは、一般に、冷蔵庫、冷凍庫、エアコン、密封コンプレッサ、洗濯機、ポンプ、ファンなどの家庭電化製品で使用され、また、幾つかの工業用途で使用されている。
【０００３】
知られている誘導電動機には、一般に、ケージタイプのロータと、２つの巻線を有するコイル状のステータとが設けられており、巻線の一方は稼動巻線であり、他方は始動巻線である。
【０００４】
コンプレッサの通常の動作中、稼動巻線にはＡＣ電圧が供給され、始動巻線には始動動作の初めに一時的に供給され、それにより、ステータの空隙内に回転磁場が形成される。この状態は、ロータを加速させてモータを始動させるために必要である。
【０００５】
この回転磁場は、好ましくは９０度に近い角度で稼動巻線すなわち主巻線内の電流循環に対して遅れた位相の電流を始動巻線に供給することにより得られる。両方の巻線内の電流循環間のこの遅れた関係は、巻線の構造的な特徴によって、あるいは、巻線のうちの一方と直列に、一般には始動巻線と直列に外部インピーダンスを導入することによって得られる。モータの始動プロセス中における始動巻線を通じた電流循環のこの値は高く、モータ加速を促進するために必要な時間が経過した後にこの電流を中断できる何らかのタイプのスイッチを使用する必要がある。
【０００６】
始動期間中に高トルクが必要とされるモータの場合、始動コンデンサとして知られるコンデンサは、始動巻線と直列に接続される。
【０００７】
電動機の始動モジュールおよび保護モジュールを形成する他のよく知られている構成要素は、過負荷状態または短絡状態で電動機を保護する機能を有する熱プロテクタである。よく知られている特許文献に記載されるそのような構成要素は、コンプレッサの給電ピンに対して直接に装着することができ、あるいは、給電ピンの近くに配置して導電体によって前記コンプレッサに対して接続することができ、または、例えば電動機の巻線と接触した状態で前記コンプレッサの内部に設置することもできる。
【０００８】
知られている構造において、コンデンサは、通常、始動システムモジュールから離れて設けられるが、特許出願ＷＯ０２／４７２３６号明細書の場合のようにケーブルおよび端子を介して始動システムモジュールに対して電気的に接続される。
【０００９】
幾つかの知られている構造において、始動システムは、内部に始動システムおよびモータプロテクタを収容するモジュールを備え、また、このモジュールは、コンデンサ支持体を介して前記モジュールに固定され（ＵＳ２１４０７０７）あるいは前記モジュールに対して直接に固定される（ＵＳ５７２９４１６）少なくとも１つのコンデンサすなわちランニングコンデンサを外部から支持する。
【００１０】
モジュール始動システムのための幾つかの知られている解決策は、コンプレッサ電動機およびコンデンサの始動要素および保護要素の組み立てを簡略化できるが、そのような知られているシステムは、始動システムのコンプレッサシェルに対して十分しっかりと装着されないという欠点を有する。すなわち、これらのシステムは、それらがその対応する装着位置から誤って外れてしてしまうことを回避できない。また、上記アセンブリの脆弱性は、ある状況下でボルトを介して直接にコンプレッサシェルに対してではなく冷蔵システムに対して固定されるコンデンサに関しても起こる。
【００１１】
幾つかの知られている構造では、始動モジュールをコンプレッサシェルに対して装着した後、固定クランプを使用することにより、コンプレッサの輸送中あるいはその動作中にこのシステムにおける固有振動に起因してシェルから突出する給電ピンと前記モジュールとの接続が誤って外れないようにする必要がある。
【００１２】
コンデンサが始動モジュールに対して装着されるときには、コンプレッサシェルに対するモジュールの装着状態すなわち前記シェルに設けられた給電ピンに取り付けられるモジュールの装着状態を保証するため、始動システムモジュールおよびコンデンサの両方を取り囲むようにクランプが配置される。このクランプは、モジュール−コンデンサアセンブリよりも上側でコンプレッサシェルに対して横方向に固定される一端部と、コンプレッサシェルの下部に対して固定される他端部とを有する。
【００１３】
始動モジュールを装着してその固定を保証するためにクランプなどの更なる構成要素を必要とすることに加えて、そのような知られている解決策は、コンデンサが始動モジュールに対して装着されるか否かにかかわらず、固定信頼性に関して不足している。
【発明の開示】
【発明が解決しようとする課題】
【００１４】
したがって、本発明の目的は、簡単な構造で且つ更なる構成要素を使用することなく、始動モジュールをコンプレッサシェルの給電ピンに対してしっかりと固定することができ、それにより、輸送下での前記固定およびコンプレッサの作動状態が保障される、コンプレッサの始動システムのための装着装置を提供することである。
【００１５】
本発明の更なる目的は、クランプなどの更なる固定手段を設ける必要なく始動モジュールに対するコンデンサの確実な固定を行なう前述したような装着装置を提供することである。
【００１６】
本発明の更に他の目的は、その構成要素の配置構造を変更できる十分な柔軟性を持つ前述したような装着装置を提供することである。
【課題を解決するための手段】
【００１７】
本発明のコンプレッサの始動システムのための装着装置は、給電ピンと、上記給電ピンに取り付けられる非導電性の基体を有する始動モジュールとを外部で支持するシェルを備えるタイプのコンプレッサに対して適用される。本発明の装置は、シェルおよび基体の部品の一方によって支持され且つロック位置と解放位置との間で弾性的に変形可能なロック手段と、前記部品の他方によって支持されるロック受け手段とを備え、前記ロック手段は、基体を前記給電ピンに対して装着するときにロック受け手段と係脱可能に係合し、それにより、給電ピンに対する基体の外れを引き起こし得る変位に対して前記部品をロックする。
【００１８】
本明細書において提案される装着装置の他の有利な特徴は、以下に与えられる本発明の説明により明らかとなる。
【００１９】
以下、添付図面を参照しながら、本発明の一実施形態を一例として、本発明について説明する。
【発明を実施するための最良の形態】
【００２０】
本発明は、電動機（図示せず）、例えば単相誘導電動機を密封シェル１内に備えるコンプレッサの始動システムのための装着装置について説明する。電動機は、シェル１からその外側へ突出する一般的には３つの給電ピン２に結合された端子を有し、これらの給電ピンを介して電動機が給電される。
【００２１】
給電ピン２によって形成されるアセンブリは、始動モジュールハウジングを受けてこれを図示しない始動装置および熱プロテクタの部品のうちの少なくとも一方で固定する。また、本発明は、コンデンサ３、例えばコンプレッサの電動機の始動システムのランニングコンデンサを始動モジュールが支持する構造のための解決策を与える。
【００２２】
本発明の始動モジュールは、非導電材料で形成され且つ図示しない始動装置およびモータプロテクタを内部に収容する基体１０を備え、始動装置およびモータプロテクタはコンプレッサのシェル１の給電ピン２に対して取り付けられて電気的に結合される。
【００２３】
構造的な解決策において、始動モジュールの基体１０は、例えばコンプレッサのシェル１に対して反対側を向く基体１０の面を覆う閉塞体（図示せず）を受ける。
【００２４】
図１から図５に示される構造において、基体１０は、図示しない電流電源に接続するための第１の開口１２を外面１１に受け入れてなる。図１から図５に示される構造において、基体１０は図示しないコンデンサの結合を行なえるように構成されており、この結合は、基体１０に設けられた第２の開口１３内に嵌合される端子を有する適切な配線によって達成される。
【００２５】
第１および第２の開口１２および１３の各々は、始動モジュールの始動装置および熱プロテクタの部品のうちの一方に対して電気的に結合される対応する端子を支持する。
【００２６】
図２の説明図によれば、本発明の始動モジュールは、電気絶縁材料で形成され且つ第１の開口１２の領域内で基体１０により支持されるように基体１０に対して適用される第１のタワー１４を支持することにより、特定の給電端子構造（図示せず）を第１の開口に対して結合できるようになっていてもよい。
【００２７】
コンデンサを結合し且つ図示のように基体１０に第２の開口１３が設けられている始動モジュール構造、すなわち、本発明の装置は、電気絶縁材料からなり且つ第２の開口１３の領域内で基体１０により支持されるように基体１０に対して適用される第２のタワー１５を備え、それにより、始動モジュールに対してコンデンサを接続するための保護を画定している。
【００２８】
始動モジュールをコンプレッサの給電ピン２に対して装着するため、本発明の装置は、シェル１および基体１０の部品のうちの一方によって支持され且つロック位置と解放位置との間で弾性的に変形できるロック手段２０と、前記部品の他方によって支持されるロック受け手段３０とを備え、前記ロック手段２０は、基体１０を上記給電ピン２に対して装着する際にロック受け手段３０に対して係脱可能に係合され、それにより、基体１０を給電ピン２に対して移動させる場合がある変位に対して前記部品をロックする。
【００２９】
本発明において、ロック手段２０はタブ２１を備え、このタブは、それを支持する部品から給電ピン２と平行な方向へ突出し、例えば斜面の形態を成す歯２２を備える。ロック受け手段３０には、他方の部品によって支持され且つロック位置で前記歯２２が当接されるストッパ３１が設けられており、また、前記ストッパ３１は、例えば、ロック受け手段３０を支持する部品に形成される凹部の縁のうちの１つによって画定されている。
【００３０】
本発明を実施する態様において、ロック受け手段３０は、対応する部品から突出して例えば支持プレート４１として画定することができる支持手段４０に設けられており、ロック受け手段３０を形成するストッパ３１は、上記支持プレート４１に設けられた窓４２の前縁によって画定することができる。
【００３１】
始動モジュールの基体１０を本発明にしたがって給電ピン２に対してロックするため、支持プレート４１には、ロック手段２０のタブ２１と上記タブ２１を支持する部品の面との間に小さな隙間が設けられている。
【００３２】
本発明を実施する態様において、支持プレート４１は平坦であり、また、タブ２１はそれを支持する部品の面に対して平行に位置する。図示の構造において、支持プレート４１は、ロック手段２０のタブ２１と基体１０の面との間に取り付けられる。言うまでも無く、図示の構造において、上記面は、支持プレート４１が給電ピン２よりも上側に設けられて、例えば溶接によりシェル１に対して水平に固着される場合には基体１０の上面１０ａである。この構造では、ロック手段２０が基体１０によって支持されており、また、タブ２１は、上記基体２０の上面１０ａに対して平行に位置し、小さな突出部２３を介して上記上面１０ａに一体形成されている。
【００３３】
図示しないが、本発明は、支持プレート４１を基体１０に対して側方にあるいは下方に位置決めできると予測しており、上記位置決めは、シェル１に対する上記基体１０の固定を妨げない。
【００３４】
図示の構造では、支持プレート４１が基体１０の上方に装着されており、それにより、シェル１および基体１０の部品の一方に対して固着され且つ始動モジュールに対して動作可能に結合されるコンデンサ３を支持するための更なる支持体５０の組み立てが容易となる。更なる支持体５０を画定する部品およびそれを支持する部品のうちの一方には後述する保持手段５５、５７が設けられており、また、他方の部品は保持手段５５、５７を受けるストッパ手段４３、４４（これについても後述する）を支持しており、これにより、更なる支持体５０が対応する部品に対してロックされるとともに、基体１０が給電ピン２に対して装着された状態のときに誤って相対的に変位することが回避される。
【００３５】
本発明の一実施形態において、例えば弾性材料からなる更なる支持体５０は、上記更なる支持体５０を支持する部品に対して当接され且つ保持手段５５、５７が設けられた基部５１と、例えば基部５１に対して垂直にシェル１に隣接して基部５１から突出するとともにコンデンサ３を支持する支柱部５２とを備える。
【００３６】
図６から図１０の説明図において、基部５１は、ロック手段２０を更なる支持体５０および上記更なる支持体５０に装着されるコンデンサ３と干渉させることなく受けるための隙間を画定する切り欠き中央部５１ｂを有する。
【００３７】
更なる支持体５０の支柱部５２は少なくとも１つの装着爪５３を上方に支持しており、この装着爪５３は、各々の端部５３ａに、弾性的に変形可能な対応するロックピン５３ｂを画定しており、それにより、後述するように支柱部５２に設けられる対応する貫通開口５２ａ内に導入されるようになっている。
【００３８】
図６から図１０の説明図において、支柱部５２は２つの装着ストラップ５３を支持しており、これらの装着ストラップは、それらの端部５３ａに設けられた補助プレート５４を介して互いに一体化されている。図示の構造オプションにおいて、装着ストラップ５３、補助プレート５４、およびロックピン５３ｂは一体に形成されている。
【００３９】
本発明において、装着ストラップは、図４から図６、図８、および図１０に示されるように、コンデンサ３のフレーム４の少なくとも一部を取り囲むように寸法付けられており、これにより、上記フレーム４の基部４ａが補助プレート５４の面に対してロックピン５３が突出する面と対向した状態で当接され、上記フレーム４が更なる支持体５０に対して保持される。この状態では、各ロックピン５３ｂは、各ロックピン５３ｂの頭部５３ｃが対応する貫通開口５２ａから突出して支柱部５２の隣接する面と当接するまで、支柱部５２の対応する貫通開口５２ａに対して押し込まれる。
【００４０】
コンデンサ３の図示のフレーム４は２つの保持アーム４ｂを有する「Ｕ」形状を成しており、各保持アームは上記フレーム４の基部４ａの隣接する縁部から突出している。保持アーム４ｂは、コンデンサ３をその端部を介して加圧下で受けて保持するために弾性的に変形できる。
【００４１】
各ロックピン５３ｂの頭部５３ｃは、対応する貫通開口５２ａの直径よりも大きい直径を有するが、各ロックピン５３ｂの頭部５３ｃの弾性変形により貫通開口を通り抜けることができ、また、上記頭部５３ｃは、各頭部５３ｃの平坦面が対応する貫通開口５２ａの周囲で支柱部５２に当接するまで貫通開口５２ａを通り抜ける際に上記頭部５３ｃが上記弾性変形を行なうことができるように、分割されている。
【００４２】
本発明によれば、保持手段５５は少なくとも２つの保持爪５５ａを備え、それらのうちの少なくとも一方は、柔軟性を有し、対応する突出部５５ｂを備える。各保持爪５５ａは、更なる支持体５０の基部５１の側縁５１ａから、例えば各側縁５１ａの後部から設けられており、支持手段４０、例えば各支持プレート４１の側部４６の隣接する側部に対して作用する。
【００４３】
図示の構造において、保持爪５５ａのうちの一方は、硬質であり、支持プレート４１の隣接する側部４６に嵌合し、また、他方の保持爪５５ａは、柔軟性を有し、支持プレート４１に対して装着位置と取り外し位置との間で弾性的に変形できる。
【００４４】
本発明において、保持手段５７は少なくとも１つの保持タブ５７ａを更に備え、この保持タブ５７ａは、図６から図１０に示されるように更なる支持体５０の基部５１の前縁部５６から設けられるとともに、支持手段４０の隣接する前部に対して作用し、例えば各々のストッパ手段４３を画定する支持プレート４１の前縁４３ａに対して当接する。上記保持タブ５７ａは、上記更なる支持体５０の基部５１の側縁５１ａに設けられた保持爪５５ａとともに三角形構造を画定するように設けられている。支持プレート４１の前縁４３ａは、更なる支持体５０がシェル１の方向へ変位しないようにするストッパとして作用する各々のストッパ手段４３を画定する。
【００４５】
三角形構造は、更なる支持体５０のための良好な安定性を規定するように形成されている。
【００４６】
本発明において、保持爪５５ａおよび保持タブ５７ａの少なくとも一部には、支持手段４０に設けられた対応するストッパ手段４３、４４に対して当接されて更なる支持体５０を支持手段４０に対してロックする対応する突出部が設けられている。
【００４７】
図においては、更なる支持体５０を支持プレート４１に対して保持するために、保持爪５５ａのうちの一方にだけ突出部５５ｂが設けられている。
【００４８】
支持手段４０が支持プレート４１である構造的な解決策において、支持プレートの側部４６のうちの少なくとも一方には、保持爪５７ａの各々の突出部を受けるためのストッパ手段４４が設けられている。
【００４９】
図示の構造においては、保持爪５５ａの一方にのみ突出部５５ｂが設けられて、更なる支持体５０を支持プレート４１に対して保持し、他方の保持爪５５ａが支持プレート４１の隣接する側部４６の周囲に取り付けられている。
【００５０】
また、タブ２１は、図示しないツールを受けるためのハウジングを画定しており、これにより、始動モジュールの基体１０に対して更なる支持体５０の一部を取り外すことができる。これは、始動モジュールに対するコンデンサ３の直接的な手動除去および取り外しを回避するように本発明の装置が設けられているからである。
【００５１】
図によれば、ツールハウジングは、ロック手段２０のタブ２１の突出部２４と歯２２を支持する面と反対側のタブ２１の面２５との間の隙間に画定されており、上記突出部２４は、タブ２１の上記面２５から離間して面と平行に隣接するとともに、ツールの端部を受けるように寸法付けられている。
【図面の簡単な説明】
【００５２】
【図１】コンデンサが始動モジュールの基体に対して結合されずに本発明の装置にしたがってコンプレッサシェルに設けられた給電ピンに対して装着されようとしている始動モジュールの分解斜視図である。
【図２】図１に示される始動モジュールであるが、コンプレッサシェルの給電ピンに対して装着された始動モジュールの斜視図であり、始動モジュールに対する２つのタワーの装着を示す。
【図３】本発明の始動モジュールの部分切断側面図である。
【図４】本発明にしたがってコンプレッサシェルに設けられた給電ピンに対して装着されようとしている始動モジュールの分解斜視図であり、本発明の装置の更なる支持体に対して装着され且つ始動モジュールの基体に対して結合されようとしているコンデンサを示す。
【図５】始動モジュールに結合された更なる支持体に装着されたコンデンサを支持する本発明の始動モジュールの部分切断側面図であり、始動モジュールがコンプレッサシェルの給電ピンに対して装着されている状態を示す部分切断側面図である。
【図６】コンデンサフレームを受ける前で且つ始動モジュールに対して結合される前における本発明の装置の更なる支持体の正面斜視図である。
【図７】コンデンサが無い図６に示される更なる支持体の背面図である。
【図８】図７に示される更なる支持体の上側平面図である。
【図９】図７および図８に示される更なる支持体の側面図である。
【図１０】図６に示される更なる支持体の側面図である。
【図１】
2008522573.tif 000003
【図２】
2008522573.tif 000004
【図３】
2008522573.tif 000005
【図４】
2008522573.tif 000006
【図５】
2008522573.tif 000007
【図６】
2008522573.tif 000008
【図７】
2008522573.tif 000009
【図８】
2008522573.tif 000010
【図９】
2008522573.tif 000011
【図１０】
2008522573.tif 000012
【国際調査報告】
2008522573.tif 000013
2008522573.tif 000014
2008522573.tif 000015
2008522573.tif 000016
2008522573.tif 000017